(57)【特許請求の範囲】
【請求項１】
本体内部の略中央に支持されたモータと、該モータの回転軸に固定された円形の支持板の外周部に多数の羽根を配設したファンと、該ファンの周囲に配置されたフィルタとからなる空気清浄機において、
前記フィルタは、２つの折目線が形成されており、前記２つの折目線で山折りされて、前記２つの折目線の間に位置する前面部と前記２つの折目線と両端との間に位置する一対の側面部とを備えたコの字形状の状態で空気清浄機の本体に収容され、前記フィルタの前面部を前記ファン前方に配置し、前記一対の側面部を前記ファン側方に配置し、
前記フィルタの前面部を経て前記ファン前方に至る第１空気流路および前記フィルタの側面部を経て前記ファン後方に至る第２空気流路を形成したことを特徴とする空気清浄機。
【請求項２】
前記側面側のフィルタを経て前記ファン前方に至る第３空気流路を形成したことを特徴とする請求項１に記載の空気清浄機。
【発明の詳細な説明】
【０００１】
【発明の属する技術分野】
本発明は、空気清浄機に関するものである。
【０００２】
【従来の技術】
空気清浄機は、フィルタ、モータおよびファンを有し、ファンによる吸引力で室内の空気を吸引し、フィルタを通過させて集塵・脱臭を行ない、清浄な空気を排出する。特に、空気清浄機の前方から空気を本体内に取り込み、ファン前方から吸引し、空気清浄機の上方に空気を排出するものが一般的である。
【０００３】
【発明が解決しようとする課題】
しかしながら、前記従来の空気清浄機では、風量を確保するために、モータおよびファンの容量を大きくすると、これに伴って本体が大型化する。
【０００４】
本発明は、かかる問題点に鑑みてなされたもので、大きな風量を得ることが可能であるとともに本体の薄型化が可能な空気清浄機を提供することを課題とするものである。
【０００５】
【課題を解決するための手段】
本発明は、前記課題を解決するための手段として、
本体内部の略中央に支持されたモータと、該モータの回転軸に固定された円形の支持板の外周部に多数の羽根を配設したファンと、該ファンの周囲に配置されたフィルタとからなる空気清浄機において、
前記フィルタは、２つの折目線が形成されており、前記２つの折目線で山折りされて、前記２つの折目線の間に位置する前面部と前記２つの折目線と両端との間に位置する一対の側面部とを備えたコの字形状の状態で空気清浄機の本体に収容され、前記フィルタの前面部を前記ファン前方に配置し、前記一対の側面部を前記ファン側方に配置し、
前記フィルタの前面部を経て前記ファン前方に至る第１空気流路および前記フィルタの側面部を経て前記ファン後方に至る第２空気流路を形成したものである。
【０００６】
前記発明では、第１空気流路を介して空気清浄機の本体内に取り込まれた空気は、ファン前方から吸引され、第２空気流路を介して空気清浄機の本体内に取り込まれた空気は、ファン後方から吸引される。ファン前方および後方の両方から空気が吸引されるため、排出される風量が増加する。これにより、大きな風量を得るためにファンの容量を大きくする必要がなくなり、本体が薄型化する。
【０００７】
さらに、前記側面側のフィルタを経て前記ファン前方に至る第３空気流路を形成してもよい。
【００１３】
【発明の実施の形態】
以下、本発明の実施の形態を添付図面にしたがって説明する。
【００１４】
図１〜４は、本発明の実施形態に係る空気清浄機１を示す。この空気清浄機１は、図５，６の断面図に示すように、本体２内部に、モータ３と、ファン４と、フィルタ５とを備えている。
【００１５】
本体２は合成樹脂からなり、後面開口の矩形箱状である本体ケース６、この本体ケース６の両側に設けられたサイドケース７ａ，ｂ、本体ケース６の前面に設けられた前面カバー８、本体ケース６の後面に設けられた後ケース９、および本体ケース６の上面に設けられた上ケース１０を備えている。
【００１６】
本体ケース６の前壁１１には、前記ファン４と対応する位置に空気流通口１２が形成されている。また、図５に示すように、前壁１１の上端部および下端部には、後述するフィルタ５の前面部２６を収容する際に、前面部２６の上端部２６ａおよび下端部２６ｂを支持するための段部１３ａが形成されている。図６に示すように、本体ケース６の側壁１４には、空気流通口１５が多数形成されている。また、側壁１４の後端部には、後述するフィルタ５の側面部２７を収容する際に、側面部２７の側端部２７ａを支持するための段部１３ｂが形成されている。
【００１７】
また、本体ケース６内側には、前記ファン４から排出される空気を通すためのインボリュート通路１６を前記ファン４の周囲に形成するための通路用側壁１７が設けられている。このインボリュート通路１６は、後述する上ケース１０の空気流出口２０に接続されている。通路用側壁１７の前端側は、本体ケース６の前壁１１と一体に設けられており、通路用側壁１７の後端側には、後プレート１８が一体に設けられている。この後プレート１８には、前記ファン４と対応する位置に空気流通口１９（図６に図示）が形成されている。
【００１８】
サイドケース７ａ，ｂには、空気を通すための多数のスリット２８（図３に図示）が垂直方向に形成されている。前面カバー８は、空気を通すための多数のスリット８ａが垂直方向に形成されている。この前面カバー８は、前記本体２の本体ケース６に嵌合して取り付けられている。後ケース９の両側には、本体ケース６に組み付けられた状態でサイドケース７ａ，ｂの内側に空気を導くための多数の穴９ａが垂直方向に沿って形成されている。上ケース１０には、空気流出口２０と操作部２９とが設けられている。
【００１９】
モータ３は、その回転軸３ａを後ケース９に向けて本体ケース６に固定されており、モータ３の回転軸３ａと反対側の端部は、本体ケース６の前壁１１に挿入されて固定されている。
【００２０】
ファン４は、シロッコファンであり、円形の支持板２１と、該支持板２１の外周部に配設された多数の羽根２２とからなっている。ファン４は、支持板２１の取付孔に前記モータ３の回転軸３ａを挿入し、ナット等で固定されている。前記円形の支持板２１には、後プレート１８の空気流通口１９と一致する位置に空気流通口２３が形成されており、また、補強のためのリブ２４が形成されている。
【００２１】
フィルタ５は、０．３μｍの微粒子に対して９９．９７％以上の初期集塵効率を備えたＨＥＰＡ（High Efficiency Particulate Air）フィルタを蛇腹折りしたものである。図７（ａ）に示すように、折り畳んだ状態のフィルタ５の上端面および下端面には、フィルタ５が広がらないように止め枠２５が設けられている。このフィルタ５の後面上端部および下端部には、補強のための補強枠２５ａが設けられている。また、止め枠２５には、切れ目２５ｂがそれぞれ設けられ、この切れ目２５ｂを垂直方向に結ぶ折目線２５ｃ（一点鎖線で示す）が形成されている。
【００２２】
そして、後述するようにフィルタ５を本体２の本体ケース６に収容する際、フィルタ５は、図７（ｂ）に示すように、前記２つの折目線２５ｃで山折りされ、コの字形状の状態で配置される。このとき、２つの折目線２５ｃの間に位置する前面部２６は、空気清浄機１のファン４前方に配置される。また、２つの折目線２５ｃと両端２７ａとの間に位置する一対の側面部２７は、ファン４側方に配置されるようになっている。
【００２３】
また、フィルタ５の側面部２７は、図８に示すように、本体ケース６に組み付けられた状態で後ケース９の両側に設けられた爪９ｂにより外側から係止されている。これにより、フィルタ５の側面部２７が広がらないように所定の位置に配置した状態を保つことができる。
【００２４】
前記空気清浄機１の内部には、前面カバー８のスリット８ａから前壁１１の空気流通口１２を介してファン４前方に至る第１空気流路Ａが形成されている。この第１空気流路Ａは、サイドケース７ａ，ｂ、後ケース９、および上ケース１０により区画されている。また、サイドケース７ａ，ｂの多数のスリットから側壁１４の空気流通口１５を介して後プレート１８と後ケース９との間を通過してファン４後方に至る第２空気流路Ｂが形成されている。この第２空気流路Ｂは、前面カバー８、後ケース９、および上ケース１０により区画されている部分と、後プレート１８、後ケース９、および上ケース１０により区画されている部分とからなっている。
【００２５】
前記構成からなる空気清浄機１が通電され、ファン４が回転すると、空気清浄機１の前方の空気は、前面カバー８のスリット８ａから空気清浄機１内部に吸引される。そして、フィルタ５の前面部２６を通過することにより清浄され、前壁１１の空気流通口１２を介してファン４前方に至る（第１空気流路Ａ）。この空気は、ファン４前方から吸引されてインボリュート通路１６に排出される。また、空気清浄機１の側方の空気は、サイドケース７ａ，ｂの多数のスリットから空気清浄機１内部に吸引される。そして、フィルタ５の側面部２７を通過することにより清浄され、側壁１４の空気流通口１５を介してファン４後方に至る（第２空気流路Ｂ）。この空気は、ファン４後方から吸引されてインボリュート通路１６に排出される。そして、ファン４によりインボリュート通路１６に排出された空気は、上ケース１０の空気流出口２０から空気清浄機１外方に排出される。これにより、排出される風量が増加し、従来の同じ大きさのファンを有する空気清浄機に比べて約１．５倍〜２倍の大きな風量が得られる。
【００２６】
また、空気清浄機１の後方の空気は、後ケース９の両側に形成された多数の穴９ａから空気清浄機１内部のサイドケース７ａ，ｂの内側に吸引される。この後方から吸引された空気は、前記側方から吸引された空気と同様にファン４の後方に導かれる。
【００２７】
前記実施形態において、フィルタ５の側面部２７を通過した空気はファン４後方から吸引されたが、側面部２７を通過した空気の一部をファン４前方から吸引するようにしてもよい（第３空気流路Ｃ）。これにより、さらに大きな風量が得られる。
【００２８】
図９は、参考例に係る空気清浄機１’を示す。この空気清浄機１’のうち前記実施形態と同様であるものは、同一符号を付すことにより説明を省略する。
【００２９】
この空気清浄機１’は、本体２’と、モータ３と、ファン４と、前面側のフィルタ５ａ’および後面側のフィルタ５ｂ’と、前面カバー８と、後面カバー３０とからなっている。本体２は、矩形箱状で額縁状の本体ケース６’、この本体ケース６’の両側に設けられたサイドケース（不図示）、および本体ケース６’の上面側に設けられた上ケース１０を備えている。
【００３０】
本体ケース６の後壁３１の上端部および下端部には、前記フィルタ５ｂ’を収容するための段部１３ｃが形成されている。通路用側壁１７の前端側は、本体ケース６の前壁１１と一体に設けられており、通路用側壁１７の後端側は、本体ケース６の後壁３１と一体に設けられている。この後壁３１には、前記ファン４と一致する位置に空気流通口３２が形成されている。
【００３１】
フィルタ５ａ’，５ｂ’は、前記ＨＥＰＡフィルタを蛇腹折りしたものであって、平面形状を有する。
【００３２】
前面カバー８および後面カバー３０は、合成樹脂からなり、空気を通すための多数のスリット８ａ、３０ａが垂直方向にそれぞれ形成されている。この前面カバー８および後面カバー３０は、前記本体２の本体ケース６に嵌合して取り付けられている。
【００３３】
前記空気清浄機１’の内部には、前面カバー８のスリット８ａから前壁１１の空気流通口１２を介してファン４前方に至る第１空気流路Ａが形成されている。また、後面カバー３０のスリット３０ａから後壁３１の空気流通口３２を介してファン４後方に至る第４空気流路Ｄが形成されている。
【００３４】
前記構成からなる空気清浄機１’が通電され、ファン４が回転すると、空気清浄機１の前方の空気は、前記第１実施形態と同様に、空気清浄機１内部に吸引され、ファン４前方に至る（第１空気流路Ａ）。また、空気清浄機１の後方の空気は、後面カバー３０のスリット３０ａから空気清浄機１内部に吸引される。そして、フィルタ５ｂ’を通過することにより清浄され、後壁３１の空気流通口３２を介してファン４後方に至る（第４空気流路Ｄ）。この空気は、ファン４後方から吸引されてインボリュート通路１６に排出される。そして、ファン４により吸引されてインボリュート通路１６に排出された空気は、上ケース１０の空気流出口２０から空気清浄機１外方に排出される。これにより、排出される風量が増加し、大きな風量が得られる。
【００３５】
図１０は、前記実施形態の変形例に係る空気清浄機１”を示す。この空気清浄機１”のうち前記実施形態と同様であるものは、同一符号を付すことにより説明を省略する。また、この空気清浄機１”は、前記第１実施形態および第２実施形態における第１〜第４空気流路Ａ〜Ｄを組み合わせた空気流路を備えたものである。これにより、より一層、排出される風量が増加し、大きな風量が得られる。
【００３６】
【発明の効果】
以上の説明から明らかなように、本発明によれば、本体内部の略中央に支持されたモータと、円形の支持板の外周部に多数の羽根を配設したファンと、該ファンの周囲に配置されたフィルタとからなる空気清浄機において、フィルタを、本体の前面側および側面側に配置し、前面側のフィルタを経てファン前方に至る第１空気流路および側面側のフィルタを経てファン後方に至る第２空気流路を形成したので、従来の空気清浄機に比べて大きな風量が得られるとともに、本体が薄型化する。
【図面の簡単な説明】
【図１】  本発明の実施形態に係る空気清浄機の正面図。
【図２】  本発明の実施形態に係る空気清浄機の背面図。
【図３】  本発明の実施形態に係る空気清浄機の側面図。
【図４】  本発明の実施形態に係る空気清浄機の上面図。
【図５】  図１の空気清浄機のＩ−Ｉ線断面図。
【図６】  図５の空気清浄機のＩＩ−ＩＩ線断面図。
【図７】  （ａ）は、図５のフィルタの斜視図。（ｂ）は、（ａ）のフィルタを折り曲げた状態を示した斜視図。
【図８】  図６の空気清浄機の部分拡大図。
【図９】  参考例に係る空気清浄機の断面図。
【図１０】  変形例に係る空気清浄機の断面図。
【符号の説明】
１…空気清浄機、２…本体、３…モータ、３ａ…回転軸、４…ファン、
５…フィルタ、２１…支持板、２２…羽根、２６…前面部（前面側のフィルタ）、２７…後面部（側面側のフィルタ）、Ａ…第１空気流路、Ｂ…第２空気流路。
【図１】
0003829105.tif 000002
【図２】
0003829105.tif 000003
【図３】
0003829105.tif 000004
【図４】
0003829105.tif 000005
【図５】
0003829105.tif 000006
【図６】
0003829105.tif 000007
【図７】
0003829105.tif 000008
【図８】
0003829105.tif 000009
【図９】
0003829105.tif 000010
【図１０】
0003829105.tif 000011